(57)【要約】【課題】　本発明は、足踏みスイッチまたは他の周辺機器を受け入れるための大きさおよび形状にされた保護抽斗を有する外科用コンソールを提供する。【解決手段】　外科用コンソール１０は、足踏みスイッチ２０または他の周辺機器を受け入れるための大きさおよび形状にされた保護抽斗１２を有する。周辺機器とコンソール１０との間の電気／通信接続部はコンソール１０の内部に含まれる。抽斗１２は、周辺機器を保護し、且つ該周辺機器に結合された、いかなるケーブル布線２４をも保護し、コンソール１０と一緒に周辺機器を移動する便利で安全な方法を提供する。内部の電気／通信接続部は、コンソール１０から機器２０を分断すること無しに、機器２０が抽斗１２内に保管されることを可能とする。【選択図】　　　図１
2004081867.tif 000002
【特許請求の範囲】
【請求項１】
　外科用コンソールにおいて、
　ａ）外装を有する本体と、
　ｂ）前記本体の前記外装内の抽斗であって、少なくとも一つの切り欠き部を有する抽斗と、
　ｃ）ケーブルにより前記本体と接続される周辺機器とを有し、
　前記切り欠き部は、前記抽斗が閉鎖位置のとき、前記抽斗を通して前記本体に前記ケーブルが接続されること可能にするための大きさおよび形状にされる、外科用コンソール。
【請求項２】
　さらに、前記周辺機器は足踏みスイッチを有する、請求項１に記載の外科用コンソール。
【請求項３】
　前記抽斗は前記足踏みスイッチを受け入れるための大きさおよび形状にされる、請求項２に記載の外科用コンソール。
【請求項４】
　さらに、取り外し可能なパネルを有し、前記抽斗の移動が前記取り外し可能なパネルへのアクセスを提供する、請求項１に記載の外科用コンソール。
【請求項５】
　前記抽斗は、四棒リンク機構により本体にヒンジ式取り付けされる、請求項１に記載の外科用コンソール。
【請求項６】
　さらに、前記周辺機器は、前記本体の内部に接続部を有するケーブルにより、前記コンソールに接続される、請求項１に記載の外科用コンソール。
【請求項７】
　外科用コンソールにおいて、
　ａ）外装を有する本体と、
　ｂ）前記本体から外にある足踏みスイッチと、
　ｃ）前記本体の外装内の抽斗とを有し、
　前記抽斗は、少なくとも一つの切り欠き部を有し、前記本体にヒンジ式取り付けされ、前記足踏みスイッチを受け入れるための大きさおよび形状にされる、外科用コンソール。
【請求項８】
　さらに、取り外し可能なパネルを有し、前記抽斗の移動が前記取り外し可能なパネルへのアクセスを提供する、請求項７に記載の外科用コンソール。
【請求項９】
　さらに、前記周辺機器は、前記本体の内部に接続部を有するケーブルにより、前記コンソールに接続される、請求項７に記載の外科用コンソール。
【請求項１０】
　前記抽斗は、四棒リンク機構により前記本体にヒンジ式取り付けされる、請求項７に記載の外科用コンソール。
【発明の詳細な説明】
【技術分野】
【０００１】
　本発明は、概して外科用コンソールの分野、特に、顕微外科用コンソールに関する。
【背景技術】
【０００２】
　現代の手術、特に、眼科手術の間において、外科医は多様な気体式および電子式顕微外科用ハンドピースを使用する。ハンドピースは、マイクロプロセッサーで動く外科用コンソールであって足踏みスイッチ（ｆｏｏｔｓｗｉｔｃｈ）および赤外線遠隔制御装置のような多様な周辺機器により外科医または助手からの入力を受け取る外科用コンソールにより操作される。これらの周辺機器、特に、足踏みスイッチはコンソールが動かされる時動かされなければならず、且つ重くかさばるものである可能性がある。幾つかの従来技術のコンソールは、コンソールの背部にフックまたは幾つかの他のハンド機構を有するが、これらの露出されたフックは、足踏みスイッチまたは足踏みスイッチ用ケーブル布線を保護しない。（特許文献１において）公知である別の装置においては、足踏みスイッチ保管用抽斗（ひきだし）が開示されている。しかしながら、足踏みスイッチのための接続部は抽斗の外にあり、保管の間、足踏みスイッチはコンソールから分断される必要がある。
【特許文献１】米国特許出願公開第２００１００３５７０２号明細書
【発明の開示】
【発明が解決しようとする課題】
【０００３】
　従って、周辺機器を保管および移送するための安全で便利な手段であって、周辺機器が保管の間において分断される必要がなく、使用するときに再接続される必要のない手段を提供する外科用コンソールの必要性は存続している。
【課題を解決するための手段】
【０００４】
　本発明は、足踏みスイッチまたは他の周辺機器を受け入れるための大きさおよび形状にされた保護抽斗を有する外科用コンソールを提供することにより、従来技術の外科用コンソールを改良する。周辺機器とコンソールとの間の電気／通信接続部はコンソールの内部に含まれる。抽斗は、周辺機器を保護し且つ該周辺機器と結合される、いかなるケーブル布線をも保護し、コンソールと一緒に周辺機器を移動する便利で安全な方法を提供する。内部の電気／通信接続部は、周辺機器をコンソールから分断すること無しに抽斗内で周辺機器が保管されることを可能にする。
【０００５】
　よって、本発明の一つの目的は、外科用コンソールと一緒に周辺機器を移動するための安全で便利な機構を有する外科用コンソールを提供することである。
【０００６】
　本発明のもう一つの目的は、足踏みスイッチまたは他の周辺機器を受け入れるための大きさおよび形状にされた保護抽斗を有する外科用コンソールを提供することである。
【０００７】
　本発明の、これらの利点、他の利点、および目的は、以下の詳細な説明および特許請求の範囲から明らかになりうる。
【発明を実施するための最良の形態】
【０００８】
　本発明の外科用コンソール１０は、例えば図１および図２に示されているＩＮＦＩＮＩＴＩ（登録商標）外科用システムコンソールのような任意の適当なコンソールでよく、ＩＮＦＩＮＩＴＩ（登録商標）外科用システムコンソールは、テキサス州のフォートワースのＡｌｃｏｎ　Ｌａｂｏｒａｔｏｒｉｅｓ社から市販されている。コンソール１０の本体１３の外装１１は、コンソール１０の前部で受け入れられる抽斗１２を有する。抽斗１２は、例えば四棒リンク機構１４のような任意の適当なヒンジ式取り付け手段により本体１３に取り付けられる。図２に最もよく示されているように、コンソール１０からの抽斗１２の移動は、取り外し可能なパネル１６へのアクセスを提供する。パネル１６の取り外しは、例えばバッテリー１８へのアクセスのようなコンソール１０の内部へのサービスアクセスを提供する。抽斗１２は任意の大きさまたは形状でよいが、好ましくは、例えば通常本体１３の外にある足踏みスイッチ２０および結合されたケーブル布線のような周辺機器を受け入れるための大きさおよび形状にされる。図１に最もよく示されているように、抽斗１２は複数の切り欠き部２２を有し、該切り欠き部は、抽斗１２が閉じられるとき、機器２０と結合されているケーブル２４が抽斗１２から出ることを可能にする。複数の切り欠き部２２が示され、このように複数であることは、いろいろな位置でケーブルが抽斗１２から出ることを可能にするが、最小限必要とされる切り欠き部２２は一つであることは、当業者により認識されうる。ケーブル２４は、機器２０がコンソール１０と通信し且つコンソール１０から電力を受け取ることを可能するように電気配線を含む。図２および図３に最もよく示されているように、ケーブル２４は、コンソール１０の内部の接続部２６を通して、一端で機器２０へ接続され、他端でコンソール１０へ接続される。このような構成は、ケーブル２４がコンソール１０から分断されることなく、機器２０が抽斗１２内で保管されることを可能とする。
【０００９】
　この記載は、例証および説明のために与えられたものである。特許請求の範囲に記載の発明の範囲と精神から逸脱しない変更が可能であることは当業者により理解されうる。
【図面の簡単な説明】
【００１０】
【図１】閉鎖位置における抽斗を示している、本発明の外科用コンソールおよび周辺機器の斜視図である。
【図２】開放位置における抽斗を示している、本発明の外科用コンソールおよび周辺機器の斜視図である。
【図３】開放位置における抽斗と該抽斗内に保管されている周辺機器とを示している、本発明の外科用コンソールおよび周辺機器の斜視図である。
【図４】本発明の外科用コンソールの分解組み立て図である。
【符号の説明】
【００１１】
１０…外科用コンソール
１２…抽斗
２０…足踏みスイッチ（周辺機器）
２４…ケーブル
【図１】
2004081867.tif 000003
【図２】
2004081867.tif 000004
【図３】
2004081867.tif 000005
【図４】
2004081867.tif 000006